(57)【特許請求の範囲】
【請求項１】
撮像装置と、前記撮像装置を遠隔操作する操作端末と、を備える撮像システムであって、
前記撮像装置は、
撮像した動画像を構成するフレーム画像を取得する画像取得手段と、
前記フレーム画像に撮像時間情報を付加する第１の時間情報付加手段と、
前記撮像時間情報が付加された前記フレーム画像を前記操作端末に送信し、前記操作端末から録画制御信号を受信する第１の通信手段と、
前記動画像を記憶する記憶手段と、
前記録画制御信号及び当該録画制御信号に付加された前記撮像時間情報に基づいて、前記動画像を前記記憶手段に格納する録画制御手段と、
前記動画像を保持可能であり、容量が可変な保持手段と、
前記第１の通信手段の電波強度を検出する第１の検出手段と、を備え、
前記操作端末は、
前記フレーム画像に基づいて、前記動画像を表示する表示手段と、
ユーザの操作に応じて、前記録画制御信号を生成する録画制御信号生成手段と、
前記表示手段に表示された前記動画像に基づいて、前記フレーム画像に付加された前記撮像時間情報を、前記録画制御信号に付加する第２の時間情報付加手段と、
前記撮像時間情報が付加された前記録画制御信号を前記撮像装置に送信し、前記撮像装置から前記フレーム画像を受信する第２の通信手段と、を備え
前記録画制御手段は、前記操作端末から送信された前記録画制御信号及び当該録画制御信号に付加された前記撮像時間情報に基づいて、前記保持手段が保持する前記動画像を前記記憶手段に格納し、
前記保持手段の前記容量は、前記第１の検出手段の検出結果に基づいて設定される
撮像システム。
【請求項２】
第２の時間情報付加手段は、前記ユーザが録画開始操作または録画停止操作を行ったときに、前記表示手段に表示されている前記フレーム画像に付加された前記撮像時間情報を、前記録画制御信号に付加する請求項１に記載の撮像システム。
【請求項３】
前記操作端末は、前記第２の通信手段の電波強度を検出する第２の検出手段をさらに備え、
前記保持手段の前記容量は、前記第２の検出手段の検出結果に基づいて設定される請求項１または請求項２に記載の撮像システム。
【請求項４】
前記第１の時間情報付加手段は、前記撮像時間情報を、前記フレーム画像を構成する画像データに挿入する請求項１〜請求項３のいずれか一項に記載の撮像システム。
【請求項５】
操作端末によって遠隔操作が行われる撮像装置であって、
撮像した動画像を構成するフレーム画像を取得する画像取得手段と、
前記フレーム画像に撮像時間情報を付加する第１の時間情報付加手段と、
前記撮像時間情報が付加された前記フレーム画像を前記操作端末に送信し、前記操作端末から録画制御信号を受信する第１の通信手段と、
前記動画像を記憶する記憶手段と、
前記録画制御信号及び当該録画制御信号に付加された前記撮像時間情報に基づいて、前記動画像を前記記憶手段に格納する録画制御手段と、
前記動画像を保持可能であり、容量が可変な保持手段と、
前記第１の通信手段の電波強度を検出する第１の検出手段と、を備え、
前記保持手段の前記容量は、前記第１の検出手段の検出結果に基づいて設定される
撮像装置。
【請求項６】
操作端末によって遠隔操作が行われる撮像装置の撮像方法であって、
撮像した動画像を構成するフレーム画像を取得するステップと、
前記フレーム画像に撮像時間情報を付加するステップと、
前記撮像時間情報が付加された前記フレーム画像を前記操作端末に送信するステップと、
前記操作端末から送信され、前記撮像時間情報が付加された録画制御信号を受信するステップと、
前記録画制御信号及び当該録画制御信号に付加された前記撮像時間情報に基づいて、前記動画像を記憶手段に格納するステップと、
前記録画制御信号を受信したときの電波強度を検出するステップと、
前記動画像を保持する保持手段の容量を、前記検出した電波強度に基づいて設定するステップと、を備える撮像方法。
【請求項７】
操作端末によって遠隔操作が行われる撮像装置に対して、
撮像した動画像を構成するフレーム画像を取得させるステップと、
前記フレーム画像に撮像時間情報を付加させるステップと、
前記撮像時間情報が付加された前記フレーム画像を前記操作端末に送信させるステップと、
前記操作端末から送信され、前記撮像時間情報が付加された録画制御信号を受信させるステップと、
前記録画制御信号及び当該録画制御信号に付加された前記撮像時間情報に基づいて、前記動画像を記憶手段に格納させるステップと、
前記録画制御信号を受信したときの電波強度を検出させるステップと、
前記検出した電波強度に基づいて前記動画像を保持する保持手段の容量を設定させるステップと、を実行させるプログラム。
【請求項８】
撮像装置を遠隔操作する操作端末に対して、
撮像時間情報が付加され、前記撮像装置が撮像した動画像を構成するフレーム画像を受信させるステップと、
前記フレーム画像に基づいて、前記動画像を表示手段に表示させるステップと、
ユーザの操作に応じて、録画制御信号を生成させるステップと、
前記表示手段に表示された前記動画像に基づいて、前記フレーム画像に付加された前記撮像時間情報を、前記録画制御信号に付加させるステップと、
前記撮像時間情報が付加された前記録画制御信号を前記撮像装置に送信させるステップと、
前記フレーム画像を受信したときの電波強度を検出させるステップと、
前記検出した電波強度に基づいて前記動画像を保持する保持手段の容量を設定させるステップと、を実行させるプログラム。
【発明の詳細な説明】
【技術分野】
【０００１】
本発明は撮像システム、撮像装置、撮像方法及びプログラムに関する。
【背景技術】
【０００２】
リモコンや携帯端末等を用いて、ユーザがビデオカメラ等の撮像装置を遠隔から操作（録画開始や録画停止、パン動作、チルト動作等）する撮像システムが知られている。このような撮像システムを用いることにより、ユーザは撮像装置から離れた位置にいても、撮像装置を操作することができる。
【０００３】
特許文献１には、記録開始ボタン及び記録停止ボタンを備えるビデオ記録装置が開示されている。当該ビデオ記録装置は、記録開始ボタンが押下されると、所定のフレーム期間遅延したビデオ信号を記録する。
【先行技術文献】
【特許文献】
【０００４】
【特許文献１】特開平６−３２６９５５号公報
【発明の概要】
【発明が解決しようとする課題】
【０００５】
しかしながら、遠隔操作が行われる撮像システムにおいては、リモコン等に設けられた表示部に表示される撮像動画は、撮像装置から通信路を介してリモコン等に送られる。そのため、リモコン等に表示された動画は、撮像装置が撮像している動画よりも遅延した画像となる。
【０００６】
さらに、ユーザがリモコン等を操作することにより出力される録画開始信号や録画停止信号も、リモコン等から通信路を介して撮像装置に送られる。そのため、録画開始信号等は、ユーザがリモコン等の録画ボタン等を操作したタイミングよりも遅延して撮像装置に入力される。
【０００７】
このような通信路における遅延の影響により、ユーザがリモコン等の表示部に表示された動画を見ながら遠隔操作を行うと、ユーザが意図するタイミングで動画の録画開始及び録画停止を行うことが難しいという問題が生じていた。
【０００８】
なお、特許文献１に開示されたビデオ記録装置は、当該ビデオ記録装置自体に記録開始ボタンが設けられており、遠隔操作による信号の遅延に対する対策については、何ら開示されていない。
【０００９】
本発明は、上記の課題に鑑みてなされたものであり、遠隔操作において、ユーザが意図するタイミングで動画を録画することができる撮像システム、撮像装置、撮像方法及びプログラムを提供することを目的とする。
【課題を解決するための手段】
【００１０】
本発明の一態様に係る撮像システムは、撮像装置（１）と、前記撮像装置（１）を遠隔操作する操作端末（１０）と、を備える撮像システムであって、前記撮像装置（１）は、撮像した動画像を構成するフレーム画像を取得する画像取得手段（４０１）と、前記フレーム画像に撮像時間情報を付加する第１の時間情報付加手段（４０２）と、前記撮像時間情報が付加された前記フレーム画像を前記操作端末（１０）に送信し、前記操作端末（１０）から録画制御信号を受信する第１の通信手段（無線モジュール３０９）と、前記動画像を記憶する記憶手段（カード型記録媒体３０２）と、前記録画制御信号及び当該録画制御信号に付加された前記撮像時間情報に基づいて、前記動画像を前記記憶手段（カード型記録媒体３０２）に格納する録画制御手段（４０３）と、を備え、前記操作端末（１０）は、前記フレーム画像に基づいて、前記動画像を表示する表示手段（１１）と、ユーザの操作に応じて、前記録画制御信号を生成する録画制御信号生成手段（制御部１３）と、前記表示手段（１１）に表示された前記動画像に基づいて、前記フレーム画像に付加された前記撮像時間情報を、前記録画制御信号に付加する第２の時間情報付加手段（１４）と、前記撮像時間情報が付加された前記録画制御信号を前記撮像装置（１）に送信し、前記撮像装置（１）から前記フレーム画像を受信する第２の通信手段（１５）と、を備えるものである。
また、第２の時間情報付加手段（１４）は、前記ユーザが録画開始操作または録画停止操作を行ったときに、前記表示手段（１１）に表示されている前記フレーム画像に付加された前記撮像時間情報を、前記録画制御信号に付加してもよい。
また、前記撮像装置（１）は、前記動画像を保持可能であり、容量が可変な保持手段（リングバッファ）をさらに備え、前記録画制御手段（４０３）は、前記操作端末（１０）から送信された前記録画制御信号及び当該録画制御信号に付加された前記撮像時間情報に基づいて、前記保持手段（リングバッファ）が保持する前記動画像を前記記憶手段（カード型記録媒体３０２）に格納してもよい。
また、前記撮像装置（１）は、前記第１の通信手段（無線モジュール３０９）の電波強度を検出する第１の検出手段（電波強度検出部４０４）をさらに備え、前記保持手段（リングバッファ）の前記容量は、前記第１の検出手段（電波強度検出部４０４）の検出結果に基づいて設定されてもよい。
また、前記操作端末（１０）は、前記第２の通信手段（１５）の電波強度を検出する第２の検出手段（電波強度検出部１６）をさらに備え、前記保持手段（リングバッファ）の前記容量は、前記第２の検出手段（電波強度検出部１６）の検出結果に基づいて設定されてもよい。
また、前記第１の時間情報付加手段（４０２）は、前記撮像時間情報を、前記フレーム画像を構成する画像データに挿入してもよい。
本発明の一態様に係る撮像装置（１）は、操作端末（１０）によって遠隔操作が行われる撮像装置（１）であって、撮像した動画像を構成するフレーム画像を取得する画像取得手段（４０１）と、前記フレーム画像に撮像時間情報を付加する第１の時間情報付加手段（４０２）と、前記撮像時間情報が付加された前記フレーム画像を前記操作端末（１０）に送信し、前記操作端末（１０）から録画制御信号を受信する第１の通信手段（無線モジュール３０９）と、前記動画像を記憶する記憶手段（カード型記録媒体３０２）と、前記録画制御信号及び当該録画制御信号に付加された前記撮像時間情報に基づいて、前記動画像を前記記憶手段に格納する録画制御手段（４０３）と、を備えるものである。
本発明の一態様に係る撮像方法は、操作端末（１０）によって遠隔操作が行われる撮像装置（１）の撮像方法であって、撮像した動画像を構成するフレーム画像を取得するステップと、前記フレーム画像に撮像時間情報を付加するステップと、前記撮像時間情報が付加された前記フレーム画像を前記操作端末（１０）に送信するステップと、前記操作端末（１０）から送信され、前記撮像時間情報が付加された録画制御信号を受信するステップと、前記録画制御信号及び当該録画制御信号に付加された前記撮像時間情報に基づいて、前記動画像を記憶手段（カード型記録媒体３０２）に格納するステップと、を備える撮像方法。
本発明の一態様に係るプログラムは、操作端末（１０）によって遠隔操作が行われる撮像装置（１）に対して、撮像した動画像を構成するフレーム画像を取得させるステップと、前記フレーム画像に撮像時間情報を付加させるステップと、前記撮像時間情報が付加された前記フレーム画像を前記操作端末（１０）に送信させるステップと、前記操作端末（１０）から送信され、前記撮像時間情報が付加された録画制御信号を受信させるステップと、前記録画制御信号及び当該録画制御信号に付加された前記撮像時間情報に基づいて、前記動画像を記憶手段（カード型記録媒体３０２）に格納させるステップと、を実行させるものである。
本発明の一態様に係るプログラムは、撮像装置（１）を遠隔操作する操作端末（１０）に対して、撮像時間情報が付加され、前記撮像装置（１）が撮像した動画像を構成するフレーム画像を受信させるステップと、前記フレーム画像に基づいて、前記動画像を表示手段（１１）に表示させるステップと、ユーザの操作に応じて、録画制御信号を生成させるステップと、前記表示手段（１１）に表示された前記動画像に基づいて、前記フレーム画像に付加された前記撮像時間情報を、前記録画制御信号に付加させるステップと、前記撮像時間情報が付加された前記録画制御信号を前記撮像装置（１）に送信させるステップと、を実行させるものである。
【発明の効果】
【００１１】
本発明によれば、遠隔操作において、ユーザが意図するタイミングで動画を録画することができる撮像システム、撮像装置、撮像方法及びプログラムを提供することができる。
【図面の簡単な説明】
【００１２】
【図１】実施の形態１にかかる撮像システムの構成を示す図である。
【図２】実施の形態１にかかる撮像装置のブロック図である。
【図３】実施の形態１にかかる操作端末のブロック図である。
【図４】実施の形態１にかかる撮像システムの動作を示すシーケンス図である。
【図５】実施の形態１にかかる撮像システムの動作を示すタイミングチャートである。
【図６】関連する撮像システムの動作を示すタイミングチャートである。
【図７】実施の形態２にかかる撮像システムの構成を示す図である。
【図８】実施の形態２にかかる撮像装置のブロック図である。
【図９】実施の形態２にかかる操作端末のブロック図である。
【図１０】実施の形態２にかかる撮像システムの動作を示すシーケンス図である。
【発明を実施するための形態】
【００１３】
＜実施の形態１＞
以下、図面を参照して本発明の実施の形態について説明する。本実施の形態に係る撮像システムについて、図１を用いて説明する。図１は、撮像システムの全体構成を示す図である。撮像システムは、撮像装置１と操作端末１０を備えている。撮像装置１は動画像及び静止画像を撮像することができるデジタルカメラを有している。さらに、撮像装置１は外部メモリカード等を取り付けるためのスロットを有しており、外部メモリカード等に撮像した動画像等を記録する。撮像装置１は、操作端末１０と無線通信可能であり、撮像した動画像を構成するフレーム画像を操作端末１に対して送信する。
【００１４】
操作端末１０は、撮像装置１を遠隔操作するためのリモコンである。操作端末１０は、撮像装置１の動作を制御するための制御信号を撮像装置１に対して送信する。操作端末１０には、表示部が設けられており、受信したフレーム画像に応じて撮像装置１が撮像した動画像が表示部に表示される。操作端末１０には、表示部と通信部が設けられていればよく、撮像装置１専用のリモコンであってもよいし、通話やインターネット接続等の他の機能を備えるスマートフォン等の携帯端末であってもよい。本実施の形態においては、スマートフォンに撮像装置１を遠隔操作するための専用アプリケーションをインストールすることにより、スマートフォンを操作端末１０として用いる。
【００１５】
次に、撮像装置１の構成について説明する。図２は、本実施の形態に係る撮像装置１の構成例を示すブロック図である。撮像装置１は動画像及び静止画像を撮像することができる。
【００１６】
撮像装置１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
【００１７】
撮像装置１を用いた撮像は以下の手順で行われる。撮像素子１０４は、ズームレンズ１０１、フォーカスレンズ１０２、及び絞り１０３を通過した光を光電変換して、被写体のアナログ画像信号を生成する。アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像データとして取り込んで、バス２００を介してメインメモリ２０６に格納する。
【００１８】
デジタル信号処理部１０８は、バス２００を介して中央制御部４００からの指令に基づき、メインメモリ２０６に格納された撮像データを取り込み、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、色調補正処理、光源種別判定処理等の各種デジタル補正を行う。
【００１９】
マイク１０９は撮像時の周囲の音声を収音し、アナログ音声信号を生成する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像データと併せてメインメモリ２０６に格納する。
【００２０】
多重化部１１３は、メインメモリ２０６に格納された撮像データ及びデジタル音声データを多重化しストリームデータを生成する。
【００２１】
圧縮・伸長処理部２０１は、バス２００を介して中央制御部４００からの指示に従い、メインメモリ２０６に格納されたストリームデータに所定の圧縮処理を施し、圧縮データを生成する。また、中央制御部４００からの指令に従い、カード型記録媒体３０２等に格納された圧縮データに所定形式の伸張処理を施し、非圧縮データを生成する。なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００２２】
音声・画像処理部２０２は、バス２００を介して中央制御部４００の指示に従い、メインメモリ２０６から読み出したデジタルデータに所定の画像処理を施す。例えばメニュー画像やＯＳＤ画像等、各種処理のための画像データを生成し、その画像データをメインメモリ２０６から読み出されたオリジナルの撮像データに重畳させて液晶モニタ３０４に出力する。この出力によって、液晶モニタ３０４に表示される画像は各種画像データが合成されたものとなる。なお、液晶モニタ３０４の代わりに有機ＥＬ（Electro-Luminescence）モニタ等の他のモニタを用いることも可能である。
【００２３】
ＲＯＭ２０３はバス２００を介して中央制御部４００に接続されており、中央制御部４００が実行する制御プログラム及び制御に必要な各種データ等を格納している。フラッシュＲＯＭ２０４は、ユーザの設定情報等、撮像装置１の動作に関する各種設定情報を格納している。撮像装置１は、様々な撮像のシチュエーションに応じて、いくつかの撮像モードと、各モードにあわせた撮像条件の設定を予めフラッシュＲＯＭ２０４に記憶している。そして、ユーザは撮像を開始する前に、各モードの中から最適なモードを選択することにより、最適な撮像条件で撮像を実施することができる。例えば、特定の人物の撮像に適した「ポートレートモード」、運動会等の撮像に適した「スポーツモード」、又は夜景等の暗い場所の撮像に適した「夜景モード」等である。ＶＲＡＭ２０５は、表示用の撮像データの一時記憶領域として使用される。
【００２４】
メインメモリ２０６は、撮像データ（動画像及び静止画）の一時記憶領域として使用されるとともに、中央制御部４００の演算作業領域としても使用される。つまり、メインメモリ２０６は、撮像データを保持するためのリングバッファ（保持手段）を有している。リングバッファには、撮像された動画像のうち、最新のフレームから所定の時間（フレーム数）前のフレームまでの動画像が保持される。メインメモリ２０６は、中央制御部４００の指令に応じて、保持している撮像データをカード型記録媒体３０２に格納する。
【００２５】
メディア制御部２０７は、中央制御部４００の指令に従い、カードＩ／Ｆ３０１を通じてカード型記録媒体３０２へのデータの書き込みやデータの読み出しを制御する。カード型記録媒体３０２はＳＤカードやコンパクトフラッシュ（登録商標）等の外部メモリであり、撮像装置１に対して脱着可能に設けられている。
【００２６】
ジャイロセンサ２０８は、３軸の加速度及び角速度の変化を検出し、撮像装置１のパン・チルト量や上下及び左右の手ぶれ量を検出する。
【００２７】
時計２０９は、撮像データの生成日時の情報を生成する。つまり、時計２０９は、撮像データを撮像した時刻を示す撮像時間情報を生成する。なお、撮像時間情報とは、撮像処理によって生成された動画像を構成する複数のフレーム画像の生成順序を識別できる情報であり、それぞれのフレーム画像毎に異なる情報である。撮像時間情報としては、上記のような撮像時刻でもよいし、動画像の撮像を開始してから経過した時間等であってもよい。
【００２８】
液晶モニタ３０４、スピーカ３０５、操作部３０６及び入出力端子３０７は入出力Ｉ／Ｆ３０３に接続されている。液晶モニタ３０４は、例えばＶＲＡＭ２０５やメインメモリ２０６に一時記録された撮像データや各種メニュー画像データ等、各種画像データから生成された画像を表示する。スピーカ３０５は、例えばメインメモリ２０６に一時記録された音声を出力する。操作部３０６は、上記のように、リレーズ・スイッチや電源スイッチを含む操作キー、十字キー、ジョイスティック、又は液晶モニタ３０４上に重畳されたタッチパネル等から構成されており、ユーザの撮像装置１への操作入力を受け付ける。入出力端子３０７は、図示しないパン動作・チルト動作が可能な雲台やテレビモニタ、ＰＣ（Personal  Computer）等に接続される。
【００２９】
無線モジュール３０９（第１の通信手段）は、バス２００及び無線Ｉ／Ｆ３０８を介して、操作端末１０との間で信号の送受信を行う。具体的には、無線モジュール３０９は、Ｗｉ−Ｆｉ等の無線ＬＡＮ規格に準拠した通信処理を行う。これにより、操作端末１０との通信が可能になる。
【００３０】
中央制御部４００はＣＰＵ、各種プログラムが格納されたＲＯＭ、及びワークエリアとしてのＲＡＭ等を含む半導体集積回路により構成され、撮像、各種画像の表示、及び連携撮影に関する情報の送受信等の撮像装置１全体の処理を統括的に制御する。
【００３１】
中央制御部４００は、画像取得部４０１と、時間情報付加部４０２と、録画制御部４０３と、を備えている。画像取得部４０１は、撮像装置１が撮像した動画像を構成するフレーム画像を取得する。具体的には、画像取得部４０１は、動画像からＪＰＥＧ形式のフレーム画像を抽出する。
【００３２】
時間情報付加部４０２（第１の時間情報付加手段）は、画像取得部４０１が取得したフレーム画像に、時計２０９が生成した撮像時間情報を付加する。具体的には、フレーム画像を構成する画像データ（ＪＰＥＧファイル）の使用されていないセグメント（例えば、ＡＰＰセグメント）に撮像時間情報を挿入する。時間情報付加部４０２は、例えば２０１２年２月１日１３時３０分２４秒２００ミリ秒に生成されたフレーム画像のＪＰＥＧファイルのセグメントに対して、"20120201133024.200"という撮像時間情報を挿入する。勿論、撮像時間情報は、操作端末１０において参照可能な態様でフレーム画像に付加されていればよく、上記のようなセグメントへの挿入以外の方法によって付加されていてもよい。
【００３３】
録画制御部４０３は、撮像装置１が撮像した動画像の録画処理を制御する。具体的には、録画制御部４０３は、操作端末１０から送信された録画制御信号及び当該録画制御信号に付加された撮像時間情報に基づいて、撮像装置１が撮像した動画像をカード型記録媒体３０２に格納する。このとき、録画制御信号とは、録画開始または録画停止を指示するための信号である。つまり、録画制御部４０３は、録画制御信号を受信すると、当該録画制御信号に付加された撮像時間情報に対応するフレームから録画開始処理を実行したり、撮像時間情報に対応するフレームで録画停止処理を実行したりする。なお、以下の説明において、録画とは、メインメモリ２０６のリングバッファに保持されている動画像を、カード型記録媒体３０２に格納することを意味する。
【００３４】
次に、撮像装置１を遠隔操作するための操作端末１０について説明する。図３は、本実施の形態に係る操作端末１０の構成例を示すブロック図である。操作端末１０は、表示部１１と、操作部１２と、制御部１３と、時間情報付加部１４と、通信部１５と、を備える。
【００３５】
表示部１１は、例えば、ＬＣＤ（Liquid Crystal Display）や有機ＥＬであり、撮像装置１から送られてくるフレーム画像に基づいて動画像を表示する。操作部１２は、録画開始（ＲＥＣ）ボタンや、録画停止（ＳＴＯＰ）ボタン、望遠（TELE）ボタン、広角（WIDE）ボタン等である（図１参照）。
【００３６】
制御部１３（録画制御信号生成手段）は、操作部１２の各ボタンの押下に応じて、当該ボタンに対応する制御信号を生成する。例えば、制御部１３は、ＲＥＣボタンが押下されると、撮像装置１に対して録画開始を指示するための制御信号（以下、録画開始信号と称す）を生成する。また、制御部１３は、ＳＴＯＰボタンが押下されると、撮像装置１に対して録画停止を指示するための制御信号（以下、録画停止信号と称す）を生成する。
【００３７】
時間情報付加部１４（第２の時間情報付加手段）は、ＲＥＣボタンまたはＳＴＯＰボタンが押下されたときに、表示部１１に表示されているフレーム画像に付加されている撮像時間情報を取得する。そして、時間情報付加部１４は、取得した撮像時間情報を、制御部１３により生成された録画開始信号または録画停止信号に付加する。
【００３８】
通信部１５（第２の通信手段）は、Ｗｉ−Ｆｉ等の無線通信処理を行い、撮像時間情報が付加された録画開始信号や録画停止信号、各種制御信号を撮像装置１に対して送信する。また、通信部１５は、撮像装置１から送信される撮像時間情報が付加されたフレーム画像を受信する。
【００３９】
続いて、図４及び図５を用いて、本実施の形態にかかる撮像システムの動作例について詳細に説明する。図４は、撮像システムの動作を示すシーケンス図である。図５は、撮像システムの動作を示すタイミングチャートである。はじめに、ユーザは、操作端末１０において動画取得操作を行う（ステップＳ１０１）。これにより、操作端末１０から撮像装置１に対して、動画取得信号が送信される（ステップＳ１０２）。なお、動画取得操作とは、例えば、操作端末１０の電源をオン状態にすることや、操作部１２の動画取得ボタン（図示省略）を押下すること等である。
【００４０】
撮像装置１は、動画取得信号を受信すると、撮像処理を行い、画像取得部４０１により取得されたフレーム画像の送信処理を行う（ステップＳ１０３）。ここで、時間情報付加部４０２は、画像取得部４０１により取得されたフレーム画像に撮像時間情報を付加する。具体的には、撮像された動画像を構成するフレームＡに対応するフレーム画像ａに撮像時刻（撮像時間情報）ＴｉｍｅＡを付加する（図５参照）。そして、無線通信路を介して、撮像装置１から操作端末１０に、撮像時間情報が付加されたフレーム画像が送信される（ステップＳ１０４）。
【００４１】
操作端末１０の表示部１１は、受信したフレーム画像に基づいて、動画像を表示する（ステップＳ１０５）。つまり、複数のフレーム画像が連続して表示されることにより、動画像として表示される。操作端末１０及び撮像装置１は、録画開始操作が行われるまで、ステップＳ１０２〜ステップＳ１０５を繰り返す。
【００４２】
なお、表示部１１にフレーム画像ａが表示されている時刻（ＴｉｍｅＤ）において、撮像装置１ではフレームＡよりも新しいフレームＤが撮像されている（図５参照）。つまり、フレーム画像ａは無線通信路を通って操作端末１０の表示部１１に表示されるため、撮像装置１においてフレーム画像ａが生成されてから表示部１１にフレーム画像ａが表示されるまでの間に、遅延が生じている。一方、撮像装置１により撮像された動画像は、撮像装置１のメインメモリ２０６のリングバッファに順次保持される。このとき、撮像処理と動画像の保持処理との間には無線通信は介在しないため、ほとんど遅延は生じない。
【００４３】
次に、ユーザは、録画開始操作を行う（ステップＳ１０６）。つまり、ユーザは、操作端末１０の表示部１１に表示された動画像を見ながら、所望のタイミングでＲＥＣボタンを押下する。これにより、操作端末１０の制御部１３は、録画開始信号を生成する。そして、操作端末１０の時間情報付加部１４は、録画開始信号に撮像時間情報を付加する。具体的には、ユーザがフレーム画像ａを見ているときにＲＥＣボタンを押下したとすると、時間情報付加部１４は、フレーム画像ａに付加されている撮像時刻ＴｉｍｅＡを取得し、当該撮像時刻ＴｉｍｅＡを録画開始信号に付加する（図５参照）。つまり、時間情報付加部１４は、ユーザが録画開始操作を行ったタイミングにおいて、表示部１１に表示されているフレーム画像に付加された撮像時間情報を録画開始信号に付加する。そして、通信部１５は、撮像時間情報が付加された録画開始信号を、無線通信路を介して、撮像装置１に送信する（ステップＳ１０７）。なお、録画開始信号も無線通信路を通って撮像装置１に送信されるため、操作端末１０が録画開始信号を送信してから撮像装置１が録画開始信号を受信するまでの間に遅延が生じる。
【００４４】
撮像装置１の録画制御部４０３は、録画開始信号を受信すると、録画を開始する（ステップＳ１０８）。このとき、録画制御部４０３は、録画開始信号に付加された撮像時間情報に対応したフレームから録画を開始する。具体的には、録画開始信号に付加された撮像時刻（撮像時間情報）がＴｉｍｅＡであった場合、録画制御部４０３は、メインメモリ２０６のリングバッファから撮像時刻ＴｉｍｅＡにおいて撮像したフレームＡを開始点として、動画像をカード型記録媒体３０２に格納する。これにより、ユーザがＲＥＣボタンの押下を行ったタイミングのフレーム画像ａ、すなわちフレームＡから始まる動画像がカード型記録媒体３０２に記憶される。
【００４５】
録画処理中においても、操作端末１０及び撮像装置１は、ステップＳ１０２〜ステップＳ１０５を繰り返す。つまり、撮像装置１では録画処理が行われ、操作端末１０の表示部１１では、撮像された動画像が表示される。
【００４６】
その後、ユーザは、録画停止操作を行う（ステップＳ１０９）。つまり、ユーザは、操作端末１０の表示部１１に表示された動画像を見ながら、所望のタイミングでＳＴＯＰボタンを押下する。これにより、操作端末１０の制御部１３は、録画停止信号を生成する。そして、操作端末１０の時間情報付加部１４は、録画停止信号に撮像時間情報を付加する。具体的には、ユーザがフレーム画像ｄを見ているときにＳＴＯＰボタンを押下したとすると、時間情報付加部１４は、フレーム画像ｄに付加されている撮像時刻ＴｉｍｅＤを取得し、当該撮像時刻ＴｉｍｅＤを録画停止信号に付加する（図５参照）。つまり、時間情報付加部１４は、ユーザが録画停止操作を行ったタイミングにおいて、表示部１１に表示されているフレーム画像に付加された撮像時間情報を録画停止信号に付加する。そして、通信部１５は、撮像時間情報が付加された録画停止信号を、無線通信路を介して、撮像装置１に送信する（ステップＳ１１０）。
【００４７】
なお、表示部１１にフレーム画像ｄが表示されている時刻（ＴｉｍｅＧ）において、撮像装置１ではフレームＧが撮像され、フレームＧの録画処理が行われている（図５参照）。つまり、ユーザがフレーム画像ｄを見てＳＴＯＰボタンを押下したときには、既に動画像のフレームＡ〜フレームＧまでが、カード型記録媒体３０２に格納されている。
【００４８】
撮像装置１の録画制御部４０３は、録画停止信号を受信すると、録画を停止する（ステップＳ１１１）。このとき、録画制御部４０３は、録画停止信号に付加された撮像時間情報に対応したフレームまでを録画する。具体的には、録画停止信号に付加された撮像時刻（撮像時間情報）がＴｉｍｅＤであった場合、録画制御部４０３は、カード型記録媒体３０２に格納されているフレーム（フレームＡ〜フレームＧ）のうち、ＴｉｍｅＤより時間的に後に格納されたフレーム（フレームＥ〜フレームＧ）を削除する。これにより、カード型記録媒体３０２に格納されているフレームは、ユーザがＳＴＯＰボタンの押下を行ったタイミングのフレーム画像ｄ、すなわちフレームＤで終わる動画像がカード型記録媒体３０２に記憶される。
【００４９】
以上のように、本実施の形態にかかる撮像システムの構成によれば、撮像装置１から操作端末１０に対して、撮像時間情報が付加されたフレーム画像が送信される。また、操作端末１０において録画開始操作が行われた場合、表示部１１に表示されているフレーム画像に付加された撮像時間情報が取得される。そして、当該撮像時間情報が付加された録画開始信号が送信される。さらに、録画制御部４０３は、録画開始信号に付加された撮像時間情報に基づいて、撮像装置１が撮像した動画像をカード型記録媒体３０２に格納する。これにより、録画開始操作が行われたときに表示部１１に表示されていたフレーム画像に対応するフレームから動画像の録画を開始することができる。
【００５０】
同様に、操作端末１０から送信される録画停止信号にも撮像時間情報が付加されている。これにより、録画停止操作が行われたときに表示部１１に表示されていたフレーム画像に対応するフレームより後に録画されたフレーム（動画像）を削除することができる。このため、録画開始操作が行われたときに表示部１１に表示されていたフレーム画像から、録画停止操作が行われたときに表示部１１に表示されていたフレーム画像までに対応するフレームで構成された動画像を記憶することができる。その結果、遠隔操作において、ユーザが意図するタイミングで動画像を録画することができる。
【００５１】
ここで、撮像時間情報を付加しない場合の動作例について図６のタイミングチャートを参照して説明する。ユーザは、操作端末の表示部においてフレーム画像ａが表示されているタイミングでＲＥＣボタンを押下したとする。つまり、ユーザは、フレーム画像ａのフレームから録画を開始したいと考えていたとする。この場合、フレーム画像ａ及び録画開始信号が無線通信路を通ることによる遅延の影響によって、撮像装置が録画開始信号を受信するタイミングは、動画像のフレームＥを撮像しているタイミングとなる。そのため、撮像装置が録画を開始するフレームは、フレームＥとなる。さらに、フレーム画像ｄにおいて録画を停止させるために、ユーザが、操作端末の表示部においてフレーム画像ｄが表示されているタイミングでＳＴＯＰボタンを押下したとする。すると、撮像装置が録画停止信号を受信するタイミングは、動画像のフレームＧを撮像したタイミングとなる。そのため、撮像装置が録画を停止するフレームは、フレームＧとなる。その結果、録画された動画像は、ユーザが意図していたフレームＡ〜フレームＤではなく、フレームＥ〜フレームＧとなってしまう。
【００５２】
これに対して、本発明にかかる撮像システムは、図５に示したように、撮像装置１から操作端末１０に送られるフレーム画像と、操作端末１０から撮像装置１に送られる録画制御信号（録画開始信号及び録画停止信号）とに、撮像時間情報を付加している。そのため、上述したように、ユーザの所望のタイミングのフレームにおいて録画を開始または停止をすることができる。
【００５３】
＜実施の形態２＞
本発明にかかる実施の形態２について説明する。本実施の形態の撮像システムを図７に示す。本実施の形態においては、家の中において、撮像装置２と操作端末２０とが、異なる部屋にあり、Ｗｉ−Ｆｉルータ９０を介して、無線通信接続されているものとする。
【００５４】
本実施の形態にかかる撮像装置２のブロック図を図８に示す。撮像装置２は、図２に示した撮像装置１の構成に加えて、電波強度検出部４０４及び容量設定部４０５を備える。なお、その他の構成については撮像装置１と同様であるので、説明を適宜省略する。ただし、撮像装置２は、動画像保持用のリングバッファの容量を変化させることができる。
【００５５】
電波強度検出部４０４（第１の検出手段）は、撮像装置２の電波強度を検出する。具体的には、電波強度検出部４０４は、撮像装置２が受信する信号の強度を検出する。例えば、電波強度検出部４０４は、ＲＳＳＩ（Received Signal Strength Indication）を検出し、ＲＳＳＩに基づいて、受信信号の強度を検出する。
【００５６】
容量設定部４０５は、メインメモリ２０６のリングバッファの容量を設定する。より詳細には、容量設定部４０５は、撮像装置２及び操作端末２０の電波強度に基づいて、撮像した動画像を保持するために用いるリングバッファの容量を設定・変更する。
【００５７】
次に、本実施の形態にかかる操作端末２０のブロック図を図９に示す。操作端末２０は、図３に示した操作端末１０の構成に加えて、電波強度検出部１６（第２の検出手段）を備える。なお、その他の構成については操作端末１０と同様であるので、説明を適宜省略する。また、撮像装置２の電波強度検出部４０４と同様に、電波強度検出部１６も、操作端末２０の受信信号の強度を検出する。
【００５８】
続いて、本実施の形態にかかる撮像システムの動作例について、図１０に示すシーケンス図を参照して説明する。なお、ユーザが録画開始操作を行うまでの動作は、図４に示したシーケンス図と同様であるため、説明を省略する。
【００５９】
まず、ユーザが、操作端末２０のＲＥＣボタンを押下することにより、録画開始操作を行う（ステップＳ２０１）。これにより、撮像時間情報が付加された録画開始信号が、操作端末２０から撮像装置２へ送信される（ステップＳ２０２）。すると、容量設定部４０５は、メインメモリ２０６のリングバッファの容量を初期値に設定する（ステップＳ２０３）。なお、リングバッファの容量の初期値は、例えば、６秒間の動画像を保持できる程度の容量とする。そして、撮像装置２の録画制御部４０３は、録画開始信号及び撮像時間情報に基づいて、撮像した動画像の録画を開始する（ステップＳ２０４）。つまり、録画制御部４０３は、メインメモリ２０６のリングバッファに保持された動画像を、撮像時間情報に対応するフレームからカード型記録媒体３０２に格納していく。
【００６０】
その後、操作端末２０の電波強度検出部１６は、操作端末２０の受信信号の強度を検出する（ステップＳ２０５）。具体的には、電波強度検出部１６は、操作端末２０のＲＳＳＩを取得し、取得したＲＳＳＩをＲＳＳＩの最大値で除算することにより電波強度値（％）を算出する。そして、通信部１５が、操作端末２０側の電波強度値を送信する（ステップＳ２０６）。
【００６１】
撮像装置２が操作端末２０側の電波強度値を受信すると、容量設定部４０５は、操作端末２０側の電波強度値を、撮像装置２の任意のメモリ（動画像保持用のリングバッファ以外の領域）に格納する。また、撮像装置２の電波強度検出部４０４は、撮像装置２の受信信号の強度を検出する（ステップＳ２０７）。つまり、電波強度検出部４０４は、操作端末２０のＲＳＳＩに基づいて、電波強度値（％）を算出する。容量設定部４０５は、撮像装置２側の電波強度値も、撮像装置２の任意のメモリ（動画像保持用のリングバッファ以外の領域）に格納する。
【００６２】
容量設定部４０５は、撮像装置２及び操作端末２０の電波強度値に基づいて、メインメモリ２０６のリングバッファの容量を変更する（ステップＳ２０８）。例えば、撮像装置２が撮像装置２及び操作端末２０の電波強度値とリングバッファの容量との関係が対応付けられたテーブルを予め備えており、容量設定部４０５は、当該テーブルを参照して、リングバッファの容量を設定してもよい。または、撮像装置２が撮像装置２及び操作端末２０の電波強度値を入力、リングバッファの容量を出力とする関数を予め備えており、容量設定部４０５が当該関数を用いて、必要なリングバッファの容量を算出してもよい。
【００６３】
その後、所定の時間が経過すると、操作端末２０の電波強度検出部１６は、再度操作端末２０の受信信号の強度を検出し、電波強度値を算出する（ステップＳ２０９）。つまり、電波強度検出部１６による電波強度の検出は、所定の時間間隔で定期的に実行される。
【００６４】
電波強度検出部１６によって電波強度値が算出されると、通信部１５は、当該電波強度値を撮像装置２に送信する（ステップＳ２１０）。撮像装置２が操作端末２０側の電波強度値を受信すると、撮像装置２の電波強度検出部４０４は、撮像装置２の受信信号の強度を検出する（ステップＳ２１１）。
【００６５】
そして、容量設定部４０５は、ステップＳ２１０、Ｓ２１１において取得した撮像装置２及び操作端末２０の電波強度値と、前回検出時（ステップＳ２０６、Ｓ２０７）の電波強度値とを比較する。そして、容量設定部４０５は、電波強度値に変化があるか否かを判定する（ステップＳ２１２）。
【００６６】
電波強度値に変化がなかった場合（ステップＳ２１２：Ｎｏ）、容量設定部４０５は、現在のリングバッファ容量の設定を維持する。一方、電波強度値に変化があった場合（ステップＳ２１２：Ｙｅｓ）、容量設定部４０５は、動画像保持用のリングバッファの容量を変更する（ステップＳ２１３）。
【００６７】
例えば、メインメモリ２０６に格納されている電波強度値よりも、今回検出した電波強度値が小さい場合（通信速度が遅くなっている場合）、容量設定部４０５は、リングバッファの容量を増加させる（例えば保持可能な動画像の秒数を６秒から８秒に増加させる）。なお、本実施の形態においては、動画像保持用のリングバッファの容量を増加させる場合、動画像を記憶するためのカード型記録媒体３０２のメモリの一部をリングバッファとして利用する。言い換えると、リングバッファの容量を増加させる場合、動画像の保持とは異なる用途のメモリの一部を、一時的に動画像保持用のリングバッファとして利用する。より詳細には、メインメモリ２０６においては、リングバッファの領域は初期値から増加することはなく、リングバッファの容量を増加させる場合には、メインメモリ２０６以外の、容量に余裕のあるメモリの一部をリングバッファとして利用する。これにより、メインメモリ２０６に予め増加分のリングバッファの領域を用意しておく必要がなく、メインメモリ２０６のコスト及び規模が増加することを防止できる。勿論、メインメモリ２０６において、リングバッファ容量の増加分を確保しておいてもよい。
【００６８】
一方、メインメモリ２０６に格納されている電波強度値よりも、今回検出した電波強度値が大きい場合（通信速度が速くなっている場合）、容量設定部４０５は、リングバッファの容量を低減させる（例えば録画可能な秒数を６秒から４秒に減らす）。これにより、メインメモリ２０６におけるリングバッファ以外の領域が増加し、増加したメモリ領域を他の処理に用いることができる。なお、リングバッファの容量の変化量については、上記の例に限られるものではない。勿論、今回検出した電波強度値を用いて、上述したテーブルを参照することにより、リングバッファの容量を決定してもよい。
【００６９】
ここで、撮像装置２及び操作端末２０の少なくとも一方の電波強度が弱くなった場合について考える。電波強度が弱くなると、無線通信の通信速度が遅くなる。これにより、フレーム画像の送信にかかる時間が増加する。つまり、撮像装置２が撮像しているフレームと、操作端末２０の表示部１１に表示されているフレーム画像との間の遅延が大きくなる。そのため、動画像を保持するためのリングバッファの容量が少ないと、操作端末２０の表示部１１に表示されているフレーム画像に対応するフレームは、既にリングバッファから削除（新しいフレームによって上書き）されてしまい、所望のフレームから遡り録画ができなくなってしまう。
【００７０】
本実施の形態にかかる撮像システムの構成によれば、リングバッファの容量が可変となっている。そして、容量設定部４０５が、撮像装置２及び操作端末２０の電波強度値に基づいて、リングバッファの容量を変更する。このため、電波強度が弱くなり、通信速度が低下した場合であっても、メインメモリ２０６におけるリングバッファ領域の容量を増加させることができる。その結果、ユーザが録画を開始したいフレームが既に削除されてしまう状況を回避できる。言い換えると、容量が固定されたリングバッファでは遡り録画が実現できない程通信速度が遅い状況であっても、本実施の形態にかかる撮像システムによれば、リングバッファの容量を増加可能であるため、遡り録画を実現できる。
【００７１】
撮像装置２においてリングバッファの容量を最大限増加させたにもかかわらず、無線通信路で生じる遅延をカバーできる容量が確保できない場合、撮像装置２は、操作端末２０と電波強度等の環境情報を交換する。そして、撮像装置２は、操作端末２０のＲＥＣボタンを無効にしてもよい（録画機能の停止）。または、撮像装置２から送信されるフレーム画像を間引いたり、フレーム画像の圧縮率を変えて通信回線の負荷を低減させたりしてもよい。
【００７２】
なお、本実施の形態においては、図１０に示すように、操作端末２０が電波強度を検出し、定期的に操作端末２０の電波強度値を撮像装置２に送信していたが、これに限られるものではない。例えば、操作端末２０の電波強度値が変化したことをトリガとして、操作端末２０が電波強度値を撮像装置２へ送信してもよい。また、撮像装置２の電波強度検出部４０４が検出した電波強度値をフレーム画像に付加して操作端末２０に送信し、操作端末２０の電波強度検出部１６は、当該撮像装置２の電波強度値の受信をトリガとして、操作端末２０の電波強度値を検出し、撮像装置２に送信してもよい。
【００７３】
さらに、操作端末２０は、電波強度の変化をトリガに、撮像装置２に対してダミーリクエストを送信してもよい。この時、ダミーリクエストには表示されているフレーム画像の撮像時間情報を付加して送信する。当該ダミーリクエストを受信した撮像装置２は、現在生成しているフレーム画像の撮像時間情報との差分を算出し、電波環境による現在の遅延を考慮したバッファサイズにリングバッファを変化させてもよい。例えば、撮像装置２は、遅延時間の４倍量の時間を保持できるリングバッファを確保しておく。
【００７４】
また、本実施の形態においては、撮像システムの無線通信路として、インターネットに接続されていない家の中のローカルネットワークを用いた例を説明したが、本発明はこれに限られるものではない。撮像システムの無線通信路としてインターネット（グローバルネットワーク）を用いてもよい。なお、無線通信路としてローカルネットワークを用いているか、インターネットを用いているかは、ＩＰアドレスを参照することにより判定可能である。
【００７５】
ただし、インターネットを用いた場合、無線通信路の通信速度が著しく変化する可能性ある。そのため、常時通信速度をモニタリングする必要が生じてしまい、撮像システムが大規模となり、撮像システムの動作も煩雑となってしまう。したがって、例えば、応答時間（操作端末２０がフレーム画像の要求信号を送信してから、フレーム画像を受信するまでの時間等）の平均値や、インターネット通信を行っている時間帯、ネットワーク構成等の通信速度に影響を与える要因に基づいて、リングバッファの容量を変更する。これにより、リングバッファの容量をインターネットの状況に応じて適切に設定することができる。
【００７６】
なお、本発明は上記実施の形態に限られたものではなく、趣旨を逸脱しない範囲で適宜変更及び組み合わせをすることが可能である。また、上記の撮像装置及び操作端末の処理は、メインプロセッサのＲＯＭ等に格納されたコンピュータプログラムによって実行可能である。上述の例において、各処理をコンピュータ（プロセッサ）に行わせるための命令群を含むプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７７】
１、２  撮像装置
１０、２０  操作端末
１１  表示部
１２  操作部
１３  制御部
１４  時間情報付加部
１５  通信部
１６  電波強度検出部
９０  Ｗｉ−Ｆｉルータ
１００  撮像部
１０１  ズームレンズ
１０２  フォーカスレンズ
１０３  絞り
１０４  撮像素子
１０５  アナログ画像信号処理部
１０６  画像Ａ／Ｄ変換部
１０７  画像入力コントローラ
１０８  デジタル信号処理部
１０９  マイク
１１０  アナログ音声信号処理部
１１１  音声Ａ／Ｄ変換部
１１２  音声入力コントローラ
１１３  多重化部
２０１  圧縮・伸張処理部
２０２  音声・画像処理部
２０３  ＲＯＭ
２０４  フラッシュＲＯＭ
２０５  ＶＲＡＭ
２０６  メインメモリ
２０７  メディア制御部
３０１  カードＩ／Ｆ
３０２  カード型記録媒体
３０３  入出力Ｉ／Ｆ
３０４  液晶モニタ
３０５  スピーカ
３０６  操作部
３０７  入出力端子
３０８  無線Ｉ／Ｆ
３０９  無線モジュール
４００  中央制御部
４０１  画像取得部
４０２  時間情報付加部
４０３  録画制御部
４０４  電波強度検出部
４０５  容量設定部
【図１】
0005838852.tif 000002
【図２】
0005838852.tif 000003
【図３】
0005838852.tif 000004
【図４】
0005838852.tif 000005
【図５】
0005838852.tif 000006
【図６】
0005838852.tif 000007
【図７】
0005838852.tif 000008
【図８】
0005838852.tif 000009
【図９】
0005838852.tif 000010
【図１０】
0005838852.tif 000011